(57)【要約】  タワー（１０２）、ポッド（１０４）、タワーの領域内および／またはポッド（１０４）の領域内の少なくとも１つの煙検出器（３１０，３２０）、タワー（１０２）および／またはポッド（１０４）に設けられた少なくとも１つのファン（２１０，２２０）、および風力タービン（１００）内の火災状況または発煙を検出して、発生した煙を吸い出すために煙検出器（３１０，３２０）を用いてタワー（１０２）および／またはポッド（１０４）に配置されたファン（２１０，２２０）を作動させる制御ユニット（４００）を備えた風力タービン（１００）が提供される。【選択図】図２
2019535947.tif 000002
【特許請求の範囲】
【請求項１】
タワー（１０２）と、
ポッド（１０４）と、
前記タワー（１０２）の領域内および／またはポッド（１０４）の領域内の少なくとも１つの煙検出器（３１０，３２０）と、
前記タワー（１０２）および／またはポッド（１０４）に設けられた少なくとも１つのファン（２１０，２２０）と、
風力タービン（１００）内の火災状況または発煙を検出して、発生した煙を吸い出すために前記煙検出器（３１０，３２０）を用いて前記タワー（１０２）および／または前記ポッド（１０４）に配置された前記ファン（２１０，２２０）を作動させる制御ユニット（４００）と、
を備えた風力タービン（１００）。
【請求項２】
前記タワー（１０２）における避難プラットフォーム（６００）を、さらに備えている、
請求項１に記載の風力タービン（１００）。
【請求項３】
前記タワー（１０２）内のアクセスドア（５００）を、さらに備え、
前記制御ユニット（４００）は、前記アクセスドア（５００）が開かれているか否か、および／または前記風力タービンがメンテナンスモードにあるか否かに応じて、少なくとも１つの前記ファン（２１０，２２０）を制御する、
請求項１または２に記載の風力タービン（１００）。
【請求項４】
前記タワー（１０２）の開口（１０２ａ）および前記ポッド（１０４）の開口（１０４ａ）をさらに備えている、
請求項１から３のいずれか１項に記載の風力タービン（１００）。
【請求項５】
タワー（１０２）およびポッド（１０４）を有する風力タービン（１００）内の煙を吸い出す方法であって、
前記タワー（１０２）の領域および／または前記ポッド（１０４）の領域にある少なくとも１つの煙検出器（３１０，３２０）を用いて前記風力タービン（１００）内の火災状況または発煙を検出するステップと、
前記風力タービン（１００）内に人が居るか否か、または前記風力タービンがメンテナンス中であるか否かを検出するステップと、
発生した煙を屋外へ吸い出して煙中毒を防止するために、前記タワー（１０２）および／または前記ポッド（１０４）内のファン（２１０，２２０）を作動させるステップと、
を備えている方法。
【発明の詳細な説明】
【技術分野】
【０００１】
本発明は、風力タービンおよび風力タービン内の煙を吸い出す方法に関する。
【背景技術】
【０００２】
風力タービンは、通常、ポッド内やタワーの下部領域にも多数の電気ユニット、特に、パワーエレクトロニクスユニットを有する。例えば、発電機および整流器がポッド内に配置され、一方、インバータ、他のパワーエレクトロニクスユニット、および例えば、変圧器がタワーの下部領域に設けられる。火災または煙の拡散を防ぐために、防煙カバーまたは防火カバーが、風力タービンのタワーに設けられる。
【０００３】
しかし、防煙カバーまたは防火カバーは、製造または場所に適合するために高価である。
本願の優先権主張出願について、以下の先行技術文献がサーチされた：独国特許出願公開第１００ ６２ ４０５号明細書、国際公開第２０１５／０７８４８０号、米国特許出願公開第２０１１／０１３８６９９号明細書。
【先行技術文献】
【特許文献】
【０００４】
【特許文献１】独国特許出願公開第１００ ６２ ４０５号明細書
【特許文献２】国際公開第２０１５／０７８４８０号
【特許文献３】米国特許出願公開第２０１１／０１３８６９９号明細書
【発明の概要】
【発明が解決しようとする課題】
【０００５】
したがって、本発明の目的は、改善された防火性を有する風力タービンを提供することにある。
この目的は、請求項１に係る風力タービンによって達成される。
よって、タワー、ポッド、タワーの領域内および／またはポッドの領域内の少なくとも１つの煙検出器、タワーおよび／またはポッドに設けられた少なくとも１つのファン、および風力タービン内の火災状況または発煙を検出して、発生した煙を吸い出すために煙検出器によってタワーおよび／またはポッドに配置されたファンを作動させる制御ユニットを備えた風力タービンが提供される。これは特に、人々が煙吸入中毒を患うことを防ぐために、風力タービン内に人がいるときに効果がある。風力タービンのメンテナンスが実施されている場合、風力タービンはメンテナンスモードに切り替えられ、煙が発生した場合に制御ユニットはファンを作動させることができる。
【０００６】
本発明の一態様によれば、避難プラットフォームがタワー上に設けられている。
本発明の別の態様によれば、タワーにアクセスドアが設けられている。制御ユニットは、アクセスドアが開かれているか否かに応じて、少なくとも１つのファンを制御することができる。
本発明の別の態様によれば、タワーおよび／またはポッドに開口が設けられており、煙がポッド内から開口を介して吸い出される。
【０００７】
本発明によれば、風力タービンの内部、例えば、タワー内および／または風力タービンのポッド内に煙抽出設備を有する風力タービンが提供される。煙抽出設備は、例えば、風力タービン内に配置されたファンを使用して、例えば、下部タワー領域またはポッド内から外部へ煙を吸い出すことができる。
付加的には、パワーエレクトロニクス発電機または変圧器を冷却するための既存のファンに加えて、風力タービン内で発生する煙を効果的に抽出することを可能にするために追加のファンが設置される。
【０００８】
本発明は、特に、火災が発生したとき、保守要員またはサービス要員が風力タービンの中にいるという状況に関する。このような場合には、サービス要員または保守要員が風力タービンからできるだけ速やかに避難することを確実にすることが必要である。煙中毒は火災状況における最も一般的な死因であるため、本発明は、可能な限り効果的に煙を吸い出すことを可能にすることを目指している。安全性を高めるために、使用されるファンは、無停電電源装置を持つことができる。
【０００９】
本発明に係る風力タービンは、例えば、防火カバーまたは防煙カバーを省くことができるため有利である。
本発明の別の実施形態は、添付の特許請求の範囲の主題である。
本発明の利点および実施形態は、以下の図面を用いて例示しながら説明される。
【図面の簡単な説明】
【００１０】
【図１】本発明に係る風力タービンの概略図。
【図２】本発明の第１実施形態に係る風力タービンの概略断面図。
【図３】本発明の第２実施形態に係る風力タービンの斜視図。
【発明を実施するための形態】
【００１１】
図１は、本発明に係る風力タービンの概略図を示す。図１は、タワー１０２、ポッド１０４を有する風力タービン１００を示す。３つのロータブレード１０８を有するロータ１０６とスピナ１１０とは、ポッド１０４に設けられている。ロータ１０６は、運転時に、風によって回転運動するように設定され、それにより、ポッド１０４内の発電機を駆動する。
【００１２】
図２は、本発明の第１実施形態に係る風力タービンの概略断面図を示す。図２は、タワー１０２およびポッド１０４を有する風力タービンを示す。少なくとも１つの第１ファン２１０が、風力タービンの下部領域に設けられており、第２ファン２２０がポッドに設けられている。第２ファン２２０は、風力タービンの発電機の領域に設けられる。例えば、開口１０１ａがタワー１０２の下部領域に設けられ、それを通して、特に、ファン２１０によって、外気ＡＬが風力タービン１００のタワー１０２の内部１０２ｂに引き込まれる。第１および第２ファン２１０，２２０が作動しているとき、煙は、タワー１０２の下部領域からポッド１０４へ吸い出され、それから外部へと放出される。ポッド１０４は、外気ＡＬがポッドの内部１０４ｂへ引き込まれる少なくとも１つの開口１０４ａを有していてもよい。風力タービンは、タワー１０２および／またはポッド１０４内の煙検出器３１０，３２０を含んでいてもよい。煙検出器が煙を検出するとすぐに、風力タービンの動作が調整される。特に、ファン２１０，２２０は、新鮮な外気ＡＬが開口部１０２ａを通ってタワー１０２内に吸い込まれるように作動させることができ、タワーの内部および／またはポッド１０４内にある煙Ｒが、ポッドに向かって上方に、そして、ポッドから外側に向かって吸い出される。
【００１３】
風力タービンは、第１および第２ファン２１０，２２０および煙検出器３１０，３２０に連結される制御ユニット４００を有している。煙検出器３１０，３２０が煙を検出したとき、制御ユニット４００は、第１および／または第２ファン２１０，２２０を作動させる。開口１０２ａおよび開口１０４ａが制御可能である場合、すなわち開閉可能である場合には、それらの開口は、新鮮な空気を吸い込み、煙を吸い出すことができるように、開かれる。
【００１４】
ドア５００は、タワー１０２の下部領域に設けられる。ドア５００が開けられる、すなわち、サービスまたは保守要員が風力タービンへ入ったとき、制御ユニット４００が、風力タービンの動作を停止、すなわち、ロータの制御を停止させてもよい。付加的に、保守要員は、風力タービンが保守モードに切り替えられるように、保守スイッチを作動させることができる。そして、制御ユニット４００が煙検出器３１０，３２０によってメンテナンスモードにおいてタワーおよび／またはポッド１０４内の煙の形成を検知すると、メンテナンス要員は、風力タービンからできるだけ早く避難することができるように、警告信号が出力される。さらに、第１および第２ファン２１０，２２０の動作が、風力タービン１００内の煙を吸い出すように、起動される。これは、風力タービン内に配置された保守要員にとっての煙中毒の危険性が相当低減されるため、特に有利である。
【００１５】
付加的に、ファン２１０またはファン２２０は、無停電電源装置を有している。煙検出器３１０，３２０も、無停電電源装置を有していてもよい。あるいは、煙検出器は、動作し続けることができるように、蓄電池または電池を有していてもよい。
風力タービン内の人員の安全性はまた、風力タービン内の煙を吸い出すことによって、火災状況において改善することができる。そのようにして、サービス要員は、風力タービンの避難のためにより多くの時間を許容することができる。
【００１６】
図３は、本発明の第２実施形態に係る風力タービンの斜視図を示す。第１実施形態に基づく第２実施形態によれば、風力タービンまたは風力タービンのタワー１０２は、少なくとも１つの避難プラットフォーム６００を有する。避難プラットフォーム６００は、特に、タワーの上部領域に設けられている。風力タービンの周囲に火災状況が発生し、サービスまたは保守要員が適時に避難できない場合、保守要員または保守要員は避難プラットフォーム６００上に飛行することができる。その後、要員を退避させることができる。
【図１】
2019535947.tif 000003
【図２】
2019535947.tif 000004
【図３】
2019535947.tif 000005
【国際調査報告】
2019535947.tif 000006
2019535947.tif 000007
2019535947.tif 000008
2019535947.tif 000009
2019535947.tif 000010
2019535947.tif 000011